(57)【要約】【課題】注出操作し易い注出口を適切かつ確実に形成することが可能であるとともに、その際に特別な器具も別途用意する必要がないレフィル用チューブ容器を提供する。【解決手段】詰め替え用内容物を収納するチューブ形態のレフィル容器本体２に一体的に取り付けられ、内容物を注ぎ出すための注出部３が一体的に形成された注出用部材４と、注出部にこれを封止すべく一体的に形成され、押圧操作によって開封される封止膜部と、注出用部材に、注出部をその内方に収容する筒状形態で一体的に形成され、レフィル容器本体を立てて設置するための筒状台座６と、筒状台座に切離可能に一体的に形成され、封止膜部を開封するための開封具７とを備えた。【選択図】図３
2006076611.tif 000002
【特許請求の範囲】
【請求項１】
詰め替え用内容物を収納するチューブ形態のレフィル容器本体に一体的に取り付けられ、内容物を注ぎ出すための注出部が一体的に形成された注出用部材と、
上記注出部にこれを封止すべく一体的に形成され、押圧操作によって開封される封止膜部と、
上記注出用部材に、上記注出部をその内方に収容する筒状形態で一体的に形成され、上記レフィル容器本体を立てて設置するための筒状台座と、
該筒状台座に切離可能に一体的に形成され、上記封止膜部を開封するための開封具とを備えたことを特徴とするレフィル用チューブ容器。
【請求項２】
前記注出部には、前記開封具の押圧操作を案内する案内部が形成されていることを特徴とする請求項１に記載のレフィル用チューブ容器。
【請求項３】
前記筒状台座には、前記開封具の切離により切り欠き部が形成されることを特徴とする請求項１または２に記載のレフィル用チューブ容器。
【発明の詳細な説明】
【技術分野】
【０００１】
本発明は、注出操作し易い注出口を適切かつ確実に形成することが可能であるとともに、その際に特別な器具も別途用意する必要がないレフィル用チューブ容器に関する。
【背景技術】
【０００２】
ローションやミルクなどの液状物やパウダーなどの粉状物等の詰め替え用内容物の包装に利用することが可能な各種のスタンディングパウチが知られている（特許文献１〜５参照）。これらは、いわゆる簡易包装であることから、キャップなどを備えることなく、内容物を注出するにあたっては、当該パウチの縁部などに形成したノッチ等を利用し手で切り裂くなどすることで、パウチに注出用の開裂口を形成するようにしている。
【特許文献１】実用新案登録第２５８８４０７号公報
【特許文献２】特開平８−２５８８４９号公報
【特許文献３】特開平１０−１２９６８３号公報
【特許文献４】特開平１１−３２１８８３号公報
【特許文献５】特開２００１−３１１２０号公報
【発明の開示】
【発明が解決しようとする課題】
【０００３】
ところで、ノッチなどを利用してパウチを切り裂いて開裂口を形成するのでは、使用者により、またケースバイケースで、切り裂き方が不定であって開裂口の形態が一定せず、これにより注出操作のし易さが左右されてしまうという課題があった。詳述すると、都合よく注出操作ができるように開裂口を形成できればよいが、意図しない形でパウチが切り裂かれて、注出操作に具合の悪い開裂口が形成されてしまうこともあり、このような場合には、注出操作の際に思いがけず内容物がこぼれてしまうなど、きわめて不便で、不都合な面があった。また、開裂口を思い通りに形成しようと思えば、ハサミやカッターなどの開封用の器具を別途用意し、当該開封用器具を用いてパウチを切断する必要があって、このように開封用器具を準備しなければならないという点で不便であるという課題があった。
【０００４】
本発明は上記従来の課題に鑑みて創案されたものであって、注出操作し易い注出口を適切かつ確実に形成することが可能であるとともに、その際に特別な器具も別途用意する必要がないレフィル用チューブ容器を提供することを目的とする。
【課題を解決するための手段】
【０００５】
本発明にかかるレフィル用チューブ容器は、詰め替え用内容物を収納するチューブ形態のレフィル容器本体に一体的に取り付けられ、内容物を注ぎ出すための注出部が一体的に形成された注出用部材と、上記注出部にこれを封止すべく一体的に形成され、押圧操作によって開封される封止膜部と、上記注出用部材に、上記注出部をその内方に収容する筒状形態で一体的に形成され、上記レフィル容器本体を立てて設置するための筒状台座と、該筒状台座に切離可能に一体的に形成され、上記封止膜部を開封するための開封具とを備えたことを特徴とする。
【０００６】
前記注出部には、前記開封具の押圧操作を案内する案内部が形成されていることを特徴とする。
【０００７】
前記筒状台座には、前記開封具の切離により切り欠き部が形成されることを特徴とする。
【発明の効果】
【０００８】
本発明にかかるレフィル用チューブ容器にあっては、注出操作し易い注出口を適切かつ確実に形成することができるとともに、その際に特別な器具も別途用意する必要がなく、便利に使用することができる。
【発明を実施するための最良の形態】
【０００９】
以下に、本発明にかかるレフィル用チューブ容器の好適な一実施形態を、添付図面を参照して詳細に説明する。本実施形態にかかるレフィル用チューブ容器１は基本的には、図１〜図５に示すように、詰め替え用内容物を収納するチューブ形態のレフィル容器本体２に一体的に取り付けられ、内容物を注ぎ出すための注出部３が一体的に形成された注出用部材４と、注出部３にこれを封止すべく一体的に形成され、押圧操作によって開封される封止膜部５と、注出用部材４に、注出部３をその内方に収容する筒状形態で一体的に形成され、レフィル容器本体２を立てて設置するための筒状台座６と、筒状台座６に切離可能に一体的に形成され、封止膜部５を開封するための開封具７とを備えて構成される。注出部３には、開封具７の押圧操作を案内する案内部８が形成される。また、筒状台座６には、開封具７の切離により切り欠き部９が形成される。
【００１０】
レフィル用チューブ容器１の主体となるレフィル容器本体２および注出用部材４は、次のようにして形成される。まず、押し出し成形により、レフィル容器本体２となる合成樹脂製のスリーブを形成する。次いで、スリーブの上端開口に射出成形によって、注出用部材４を一体的に接合する。その後、注出用部材４が取り付けられたスリーブを逆さまにし、スリーブ内部に、ローションやミルクなどの液状物やパウダーなどの粉状物等の詰め替え用内容物を充填する。そして最後に、スリーブの下端開口をヒートシールし密封することで、注出用部材４が一体的に取り付けられたチューブ形態のレフィル容器本体２が形成される。
【００１１】
射出成形によって全体が一体的に成形される注出用部材４は、外周縁がスリーブ、すなわちレフィル容器本体２の上端開口と一体的に接合される環状の肩部１０と、肩部１０の内周縁にこれより上方へ立ち上げて形成され、レフィル容器本体２内部と連通されてこれより内容物を注ぎ出すための中空筒状の注出部３と、注出部３内方に設けられ、当該注出部３を封止してレフィル容器本体２内部を気密にシールする薄肉な封止膜部５と、肩部１０の外周縁側にこれより上方へ、注出部３の上端よりも高い高さ寸法で形成され、注出部３をその内方に収容するように包囲する筒状形態の筒状台座６とから主に構成される。
【００１２】
筒状台座６は、レフィル容器本体２を逆さまにしたときに下方に向けられ、レフィル用チューブ容器１を立てて設置しておく際の支持台として用いられる。筒状台座６は、注出部３よりも高く形成されるので、注出部３が、レフィル用チューブ容器１を立てる際の障害となることはない。また、筒状台座６には適宜位置に、封止膜部５を開封するための開封具７が切離可能に一体的に形成される。本実施形態にあっては、開封具７は筒状台座６の一部を利用して形成される。具体的には図示するように、筒状台座６に、連結片１１を残して、スリット１２が形成されることにより、このスリット１２の形態に沿った外形輪郭の開封具７が形成される。また連結片１１には、これを破断し易くして開封具７の切離を容易化するノッチ１３が形成されている。
【００１３】
図示例の開封具７は、滑り止め７ｃが形成された幅広のつまみ部７ａと、つまみ部７ａに連設され、封止膜部５を押圧操作によって開封する尖端部７ｂとから構成されている。この開封具７は、ノッチ１３を利用して連結片１１を破断することで筒状台座６から切離され、切離されると筒状台座６には、注出部３を横方向から覗くことができるように外方へ露出させる切り欠き部９が形成されるようになっている。この開封具７は図示例に限らず、筒状台座６のどのような位置に形成してもよく、また筒状台座６の一部としてではなく、これに切離可能に連結された独立の部品として構成してもよい。さらに、注出部３内方には、当該注出部３の高さ方向の中途位置に封止膜部５が形成され、この封止膜部５よりも上方部分は、開封具７の尖端部７ｂが挿入されることで、当該開封具７の押圧操作を注出部３の高さ方向に案内する案内部８として形成される。
【００１４】
次に、本実施形態にかかるレフィル用チューブ容器１の作用について説明する。詰め替え用内容物の詰め替えを行う前は、筒状台座６を利用することで、レフィル用チューブ容器１を立てておくことができ、設置スペースをとることなく、レフィル用チューブ容器１を保管しておくことができる。詰め替えを行うときには、ノッチ１３を利用して、開封具７を筒状台座６から切離する。切離した開封具７のつまみ部７ａを手指でつまみ、尖端部７ｂを注出部３の案内部８に挿入する。そして、滑り止め７ｃのついたつまみ部７ａを注出部３内方へ向かって押圧する操作により、注出部３内方の封止膜部５を開封して注出部３に注出口１４を形成する。これにより、レフィル容器本体２内方が外部に開放される。またこの際、開封具７の切離によって筒状台座６には切り欠き部９が形成され、この切り欠き部９を介して、注出部３が、これを取り囲んでいた筒状台座６外方に露出される。
【００１５】
レフィル用チューブ容器１の内容物を図５に示すように、注出容器１５に詰め替える際には、注出容器１５の注出首部１５ａ位置に切り欠き部９を合わせることで、注出首部１５ａを切り欠き部９内に差し入れることができ、注出口１４を注出首部１５ａの間近まで接近させることができて、これによりスムーズに内容物を注出容器１５に移すことができる。
【００１６】
以上説明した本実施形態にかかるレフィル用チューブ容器１にあっては、封止膜部５を開封具７で開封するようにしたので、注出操作のための注出口１４を注出部３に適切かつ確実に形成することができ、詰め替えのための注出操作を円滑に行うことができる。また、開封具７を筒状台座６に切離可能に一体的に形成するようにしたので、特別な器具を別途用意することなく、いつでも封止膜部５を開封して注出操作を行うことができる。さらに、注出部３に案内部８を形成して、開封具７の押圧操作を案内するようにしたので、封止膜部５の開封を安定的にかつスムーズに行うことができる。
【００１７】
また、筒状台座６を形成したので、レフィル用チューブ容器１を立てておくことができ、省スペースで保管することができる。このようにレフィル用チューブ容器１を立てるための筒状台座６を設けるようにしても、注出操作に伴う開封具７の切離により、切り欠き部９が筒状台座６に形成されるようにしたので、注出部３を筒状台座６から外方へ露出させることができて、注出口１４を注出容器１５などに間近に近づけることができ、詰め替えなどに便利で、確実かつ適切に注出操作を行うことができる。さらに、筒状台座６は、注出部３が外力の作用によって変形されることを保護する機能があり、注出操作の円滑性を保証することができる。さらに、レフィル容器本体２がチューブ形態であり、また注出用部材４が筒状台座６によってキャップ形態とされて、レフィル用チューブ容器１全体の外観に、従来のスタンディングパウチ等では見受けられない、高級感を与えることができ、高級な内容物の詰め替え用容器として好ましく使用することができる。
【図面の簡単な説明】
【００１８】
【図１】本発明にかかるレフィル用チューブ容器の好適な一実施形態を示す斜視図である。
【図２】図１に示したレフィル用チューブ容器を説明するための説明図である。
【図３】図１のレフィル用チューブ容器の開封具を切離した状態を示す斜視図である。
【図４】図１のレフィル用チューブ容器の開封操作を示す要部拡大側断面図である。
【図５】図１のレフィル用チューブ容器から注出容器への内容物の詰め替え状態を示す一部破断側面図である。
【符号の説明】
【００１９】
１  レフィル用チューブ容器
２  レフィル容器本体
３  注出部
４  注出用部材
５  封止膜部
６  筒状台座
７  開封具
８  案内部
９  切り欠き部
【図１】
2006076611.tif 000003
【図２】
2006076611.tif 000004
【図３】
2006076611.tif 000005
【図４】
2006076611.tif 000006
【図５】
2006076611.tif 000007